(57)【要約】【課題】サイズが異なるロールテープが使用でき、部品を取り外す必要なくロールテープを換えることを可能にするテープディスペンサーを提供する。【解決手段】本体１０とカッター３０とを有し、本体１０は第一ロールテープ取付部２４と第二ロールテープ取付部４４とを有する。第一ロールテープ取付部２４は欠け口３８を有し、第二ロールテープ取付部４４は第一ロールテープ取付部２４の中に装着される。また第二ロールテープ取付部４４と第一ロールテープ取付部２４との間は空間５６を有する。これによりサイズが大きいロールテープを第一ロールテープ取付部２４に取り付ける、またはサイズが小さいロールテープを第二ロールテープ取付部４４に取り付け、かつ空間５６の中に位置付けることが可能であり、かつサイズが小さいロールテープのテープを第一ロールテープ取付部２４の欠け口３８から抜き出すことが可能である。【選択図】図３
0003133528.tif 000002
【実用新案登録請求の範囲】
【請求項１】
本体と、本体に装着されるカッターとを有し、本体は第一ロールテープ取付部と第二ロールテープ取付部とを有し、前記第一ロールテープ取付部は欠け口を有し、第二ロールテープ取付部は第一ロールテープ取付部の中に位置付けられ、また第二ロールテープ取付部と第一ロールテープ取付部との間は空間を有することにより、サイズが大きいロールテープを第一ロールテープ取付部に取り付ける、またはサイズが小さいロールテープを第二ロールテープ取付部に取り付け、かつ空間の中に位置付けることが可能であり、かつサイズが小さいロールテープのテープを第一ロールテープ取付部の欠け口から抜き出すことが可能であることを特徴とするサイズが異なるテープを使用可能なテープディスペンサー。
【請求項２】
本体に固定され、かつ第二ロールテープ取付部を有するロールテープ座を有することを特徴とする請求項１に記載のサイズが異なるテープを使用可能なテープディスペンサー。
【請求項３】
ロールテープ座は本体に連接される連接部を有することを特徴とする請求項２に記載のサイズが異なるテープを使用可能なテープディスペンサー。
【請求項４】
連接部は環状壁を有し、かつその上に第一ロールテープ取り付け部の欠け口と一致する欠け口を有することを特徴とする請求項３に記載のサイズが異なるテープを使用可能なテープディスペンサー。
【請求項５】
連接部は複数のフックを有し、本体は前記フックと係合される複数の孔を有することを特徴とする請求項３に記載のサイズが異なるテープを使用可能なテープディスペンサー。
【請求項６】
ロールテープ座はガイド部を有し、本体はレールを有するため、ガイド部とレールとを接合することによりロールテープ座を誘導可能であることを特徴とする請求項２に記載のサイズが異なるテープを使用可能なテープディスペンサー。
【請求項７】
第二ロールテープ取付部はサイズが小さいロールテープの離脱を防止可能な少なくとも一つのフックを有することを特徴とする請求項１に記載のサイズが異なるテープを使用可能なテープディスペンサー。
【考案の詳細な説明】
【技術分野】
【０００１】
本考案はテープディスペンサー、特にサイズが異なるテープを使用可能なテープディスペンサーに関するものである。
【背景技術】
【０００２】
一般のテープディスペンサーはテープ送出用ローラーとカッターとを有する。テープ送出用ローラーはテープを装着し、それを送り出すことが可能であり、カッターはテープを切り取ることが可能である。しかし、このようなテープ送出用ローラーはサイズが一定なので、そのサイズに対応可能なテープしか取付できない。
それに対し、本考案者はアメリカ合衆国出願第５，７７６，３０１号にサイズが異なる二種のテープを使用可能なテープディスペンサーを開示した。前記テープディスペンサーは大きいローラーと小さいローラーとを有する。大きいローラーは小さいローラーに覆い被さるようにも、小さいローラーと分離するようにもできるように設置される。大きいローラーが小さいローラーに覆い被さっている場合、サイズが大きいロールテープを大きいローラーに取り付けて使用することが可能である。また大きいローラーと小さいローラーとを分離させれば、サイズが小さいロールテープを小さいローラーに取り付けて使用することが可能である。
【考案の開示】
【考案が解決しようとする課題】
【０００３】
本考案の主な目的はサイズが異なるテープを使用し、かつ部品を取り外す必要なくロールテープを換えることを可能にするテープディスペンサーを提供することである。
【課題を解決するための手段】
【０００４】
上述の目的を達成するために、本考案によるサイズが異なるテープを使用可能なテープディスペンサーは本体とカッターとを有する。本体は第一ロールテープ取付部と第二ロールテープ取付部とを有する。第一ロールテープ取付部は欠け口を有し、第二ロールテープ取付部は第一ロールテープ取付部の中に装着される。また第二ロールテープ取付部と第一ロールテープ取付部との間は空間を有する。これによりサイズが大きいロールテープを第一ロールテープ取付部に取り付ける、またはサイズが小さいロールテープを第二ロールテープ取付部に取り付け、かつ空間の中に位置付けることが可能であり、かつサイズが小さいロールテープのテープを第一ロールテープ取付部の欠け口から抜き出すことが可能である。
【考案を実施するための最良の形態】
【０００５】
以下、本考案の一実施例を図面に基づいて説明する。
図１及び図２に示すように、本考案の一実施例によるサイズが異なるテープを使用可能なテープディスペンサーは下記のものを有する。
本体１０は基座１２と蓋１４とを有する。基座１２はローラー２０、２２を別々に有する二つの軸柱１６、１８を有する。かつ基座１２は軸柱１６、１８の後方において第一ロールテープ取付部２４を有する。第一ロールテープ取付部２４は基座１２から延伸して形成され、かつ外端にＵ形の湾曲部を有する中空の円柱である。蓋１４は基座１２上に装着され、かつ前端にカッター３０と保護ケース３２を装着可能なスロット２８を有する。
【０００６】
以上述べた部分は一般のテープディスペンサーと同じである。本実施例の特徴は基座１２の第一ロールテープ取付部２４の湾曲部２６に三つの孔３４を有し、第一ロールテープ取付部２４の内側面にレール３６を有し、第一ロールテープ取付部２４が一つの欠け口３８と二つのブレーキ４０を有することである。
ロールテープ座４２は第二ロールテープ取付部４４と連接部４６とを有する。第二ロールテープ取付部４４は中空の円柱であり、その直径は第一ロールテープ取付部２４より小さい。また第二ロールテープ取付部４４は外端に三つのフック４８を有する。連接部４６は第二ロールテープ取付部４４を囲む環状壁である。また連接部４６の外径は第一ロールテープ取付部２４の内径よりやや小さい。また連接部４６は外側に三つのフック５０と一つのガイド部５２を有する。ガイド部５２は平行する二つのレールである。また連接部４６は欠け口５４を有する。
【０００７】
ロールテープ座４２は基座１２の後側から第一ロールテープ取付部２４に差し込むことが可能である。まず図３に示すようにロールテープ座４２のガイド部５２を第一ロールテープ取付部２４のレール３６に合わせることによりロールテープ座２４を一定の角度で第一ロールテープ取付部２４に差し込むと、ロールテープ座４２の連接部４６の三つのフック５０は第一ロールテープ取付部２４の三つの孔３４に入り込んで係合され、連接部４６の欠け口５４は第一ロールテープ取付部２４の欠け口３８と一致する。この時、第一ロールテープ取付部２４と第二ロールテープ取付部４４の間には環状空間５６が形成される。
【０００８】
使用の際、図４に示すようにサイズが大きいロールテープ５８を第一ロールテープ取付部２４に取り付け、そのテープ６０をローラー２０、２２を通してカッター３０まで引っ張る。これにより、使用者はテープ６０を抜き出し、カッター３０によりテープ６０を切り取って使用することが可能である。
図５に示すように、サイズが小さいロールテープ６２を使用する場合、まずサイズが大きいロールテープ５８を取り出し、そののちサイズが小さいロールテープ６２を第二ロールテープ取付部４４に取り付けることによりサイズが小さいロールテープ６２を環状空間５６に収容する。第二ロールテープ取付部４４の三つのフック４８はサイズが小さいロールテープ６２の離脱を防止可能である。またサイズが小さいロールテープ６２のテープ６４はロールテープ座４２及び第一ロールテープ取付部２４上の欠け口５４、３８を貫通し、ローラー２０、２２を通ってカッター３０まで延びることが可能である。これにより使用者はテープ６４を抜き出し、カッター３０によりテープ６４を切り取って使用することが可能である。
【０００９】
本実施例によるテープディスペンサーはサイズが異なるロールテープを使用することが可能なだけでなく、部品を取り外す必要なくロールテープを換えることが可能である。
本考案の構造は図に示すテープディスペンサーに拘らず、別の形のテープディスペンサーに適用することが可能である。また第二ロールテープ取付部は必ずしも独立のユニットとして形成するとは限らず、基座上に形成することが可能である。
【図面の簡単な説明】
【００１０】
【図１】本考案の一実施例によるサイズが異なるテープを使用可能なテープディスペンサーの分解斜視図である。
【図２】本考案の一実施例によるサイズが異なるテープを使用可能なテープディスペンサーの斜視図である。
【図３】本考案の一実施例によるサイズが異なるテープを使用可能なテープディスペンサーの断面図である。
【図４】本考案の一実施例によるサイズが異なるテープを使用可能なテープディスペンサーにおいて、サイズが大きいロールテープを使用する状態を示す模式図である。
【図５】本考案の一実施例によるサイズが異なるテープを使用可能なテープディスペンサーにおいて、サイズが小さいロールテープを使用する状態を示す模式図である。
【符号の説明】
【００１１】
１０：本体、１２：基座、１４：蓋、１６、１８：軸柱、２０、２２：ローラー、２４：第一テープ取付部、２６：湾曲部、２８：スロット、３０：カッター、３２：保護ケース、３４：孔、３６：レール、３８：欠け口、４０：ブレーキ、４２：ロールテープ座、４４：第二テープ取付部、４６：連接部、４８：フック、５０：フック、５２：ガイド部、５４：欠け口、５６：空間、５８：サイズが大きいロールテープ、６０：テープ、６２：サイズが小さいロールテープ、６４：テープ
【図１】
0003133528.tif 000003
【図２】
0003133528.tif 000004
【図３】
0003133528.tif 000005
【図４】
0003133528.tif 000006
【図５】
0003133528.tif 000007